Podtech/llm-jp-corpus-v4-ja_patent huggingface dataset:
(57)【要約】【課題】従来のピンチハンガーは、女性が衣類を干す際に、下着泥棒や人の目などを気にしていた。又、ピンチハンガーの用途は衣類を干す事に限定されていた。【解決手段】フレームを棒状のものにし、且つ、取り外し可能なフックを両サイドに取り付けることにより、衣類ハンガーなどに取り付けられるので、下着を隠して干す事ができる。又、台所の棚などに取り付けられるので、衣類を干す以外にも利用できる。【選択図】図３
2008012264.tif 000002
【特許請求の範囲】
【請求項１】
開口式のフックを設け、フレームに複数のピンチが取り付けてあることを特徴とするハンガー。
【請求項２】
前記フレームは固定もしくは両サイドに伸縮することを特徴とする請求項１記載のハンガー
【請求項３】
前記フレームには、吸盤を取り付けることができることを特徴とする請求項１記載のハンガー
【請求項４】
前記フレームには使用時に、衣類同士が触れ合わないようにするための突起、もしくはふくらみがあることを特徴とする請求項１記載のハンガー
【発明の詳細な説明】
【技術分野】
【０００１】  この発明は、ピンチハンガー等の衣類を掛けるハンガーの形状に関する。
【背景技術】
【０００２】  従来の衣類等を掛けるピンチハンガーの形状は、図１が示すように、一つのフック１にフレーム２を結ぶ放射状に伸びた連結具３が設けられたものである。又、フレームの形状は、円形や四角形の形状をしていた。
【発明の開示】
【発明が解決しようとする課題】
【０００３】しかしながら、以上の技術によれば、ハンガー自体が非常に幅をとり、少ない衣類を掛けた際、ピンチが非常にあまった。又、下着などを掛ける際、人目につきやすかった。
そこで、この発明は、人目に付きにくく干せるピンチンガーを提供することを課題とする。
【課題を解決するための手段】
【０００４】  以上の課題を解決するために、第一発明は、取り外し可能な開口式のフックを付けた事を特徴をとするハンガーである
又、第二発明は、フレーム部分を一本又は複数の棒状の物にし、フレームは両サイドに伸縮する事を特徴とするハンガーである。
又、第三発明は、フレームには吸盤を取り付けるための突起が両端に設けられている事を特徴とするハンガーである。
第四発明は第三発明の突起が吸盤をつけるための突起ではなく、使用時に衣類と衣類の接触を防ぐための突起、又は膨らみがあることを特徴とするハンガーである。
【発明の効果】
【０００５】  第一発明、第二発明、第三発明によれば、物干し竿等には場所をとらずピンチハンガーを掛けられ、又、形状によって異なるが、図３が示す形状が二等辺三角形をしている衣類ハンガーの底辺部分にピンチハンガーを取り付けるこができ、又、第四発明により、吸盤が取り付けられるので、壁等を利用して、ピンチハンガーを取付ける事ができる。
【発明を実施するための最良の形態】
【０００６】  この発明の一実施形態を、図２に示す。
ピンチハンガーの両脇には、取り外し可能なフック１があり、棒状のフレーム２がフックに接続しており、フレームには、吸盤を取り付けるための３がある。【０００７】「実施形態の効果」
この実施形態によれば、洗濯ハンガーの下の部分にこのピンチハンガーを取り付ける事ができるので、ちょうど衣類の中に干した下着が入り、人目につきにくい。浴室や台所などの滑らかな壁の部分に吸盤を取り付けることで、このピンチハンガーをとりつけることができるので、ハンカチやタオルを干す事ができる。フックを利用して、棚などにもこのピンチハンガーを取り付けることができるので、台所などで、なべつかみや台ふきなどを掛けられる。【０００８】「他の実施形態」
図１の実施形態では、両脇の開口式のフックであったが、開口式のフックでなくてもよい。又、両脇に穴をあけ、マジックテープ等を通し、フックを利用しなくてもよい。伸縮するフレームは、固定式で一定の幅のものでよい。
【図面の簡単な説明】
【０００９】
【図１】従来の実施形態
【図２】この発明の実施形態を示す。
【図３】発明を実際に使用した場合の形態を一部示す。
【符号の説明】
【００１０】  １、取り外し可能なフック  ２、伸縮できるフレーム
３、吸盤を取り付ける、もしくは衣類との接触を防ぐ突起
【図１】
2008012264.tif 000003
【図２】
2008012264.tif 000004
【図３】
2008012264.tif 000005
(57)【要約】【課題】従来、治療法が無く、一度発症してしまうと治療する事が不可能とされていた皮膚病である肉割れの第三のメカニズムの特定及び治療。【解決手段】第三のメカニズムに関しては皮膚の擦り過ぎ（体の洗い過ぎ）が原因の為、皮膚を擦る行為を止める事。【特許請求の範囲】
【請求項１】
皮膚病である肉割れ発症の既存する二つのメカニズム、肥満及び妊娠線以外の第三の肉割れ発症メカニズムの発明。
【請求項２】
上述した第三のメカニズムを含めた肉割れの治療法。
【発明の詳細な説明】
【発明が解決しようとする課題】
【０００１】本治療法は外科的処置を加えず肉割れ（妊娠線）を発症した皮膚を正常に戻す為の治療法及び発症に至るまでのメカニズムの発明。
【０００２】従来は治療法が無く軽減される事は有っても完治する事は無いとされていたが第三のメカニズムに関しては発症してしまうのでは無く自ら発症させていた事に気が付きました。
【発明の開示】
【０００３】そもそも第三のメカニズムとは約２８日周期で再生すると言われている皮膚に対して頻繁に（二日に一度又は毎日等）皮膚を磨く事により必要な皮膚まで垢として自ら削り取ってしまう事から皮膚がストッキングの様に薄くなり伝線するかの如く亀裂状に現れる事である。
【治療方法】
【０００４】肥満及び妊娠による所謂、急激な皮膚の膨張により生じた肉割れは皮膚に負担の掛からない程度まで体重を減量する必要が有るが、第三のメカニズムに関しては皮膚の磨き過ぎが原因である為、布（スポンジ又はブラシ等）で洗う事を避け、市販の石鹸又はボディーソープ等を手に取り皮膚の表面の汚れだけを落とすようにします。また、手の届かない背中に関しては、比較的軟質の市販のタオルで背中を全体的に軽く磨く様にします。（その部位に肉割れが有る場合は除く）
【発明の効果】
【０００５】治癒に至るまではある程度の時間が必要だが、外科的外傷又や副作用も無く医院経営者側にも医療機材を揃える必要も無いので低コストでの治療が可能である。
【メカニズム及び治療法の発明経緯】
上述した事柄は漠然とした内容では無く、自分自身が肉割れの症状を持ち、六年程前から悪化する一途で治癒する兆しすら見られない状態が続いていたが、上述した治療法を自分自身で試した所、目認出来る程明らかな回復が見られた為、治療法を開示するに至る。
(57)【要約】【課題】衣類をハンガーに掛ける最、首の部分や肩の部分の型崩れしやすかった。特に、洗濯した衣類は湿っているので、型崩れの心配が常にあった。又、従来のハンガーから衣類を外す際は、フックが邪魔な場合や、形状が三角形のものが殆どなので、型崩れの心配があった。又、ハンガーを収納する場合、場所をとったり、フックが絡みあったりして、効率的ではなかった。【解決手段】ハンガー部１を一本の棒状のもにし、且つ、伸縮する。ハンガー部１の左右の端には衣類を通しやすくするために、球状のもの３を取り付ける。フック２は取り外しでき、フレーム部１にはフック２を取り付けるための取り付け口４が複数開いている。フレーム部１とフック２は取り外しができ、ハンガー部が棒状のものなので、フック２を取り外して衣類を掛けたり、外したりできるので、傷みにくい。又、フック２とフレーム部１を取り外して各々収納できるので、場所をとらず、効率的である。【選択図】図３
2008012263.tif 000002
【特許請求の範囲】
【請求項１】
伸縮するハンガー部と、取り外し可能なフックから形成されていることを特徴とするハンガー。
【請求項２】
前記のハンガーは、伸縮するハンガー部の先に引っかかり防止を設けた請求項１記載のハンガー。
【請求項３】
前記ハンガーは、取り外し可能なフックを使用し、且つ、衣類を掛ける際に、フックを任意の位置に取り付けることができることを特徴とする請求項１記載のハンガー。
【発明の詳細な説明】
【技術分野】
【０００１】  この発明は、衣類を掛けるハンガーの形状に関する。
【背景技術】
【０００２】  従来の衣類等に用いるハンガーの形状は、図２に示すように、三角形のハンガー部と一つのフックが設けられたものである。
【発明の開示】
【発明が解決しようとする課題】
【０００３】  しかしながら、以上の技術によれば、ハンガーに衣類をかける際、首の部分か、衣類の下の部分から通して掛けるので、衣類を傷めやすい、又、衣類が湿っている場合や、重いものは、加重が下に加わるので、首の部分や肩の部分の型崩れを起こしやすかった。
そこで、この発明は、衣類を掛けやすく、型崩れを起こしにくい事を特徴とするハンガーを提供することを課題とする。
【課題を解決するための手段】
【０００４】  以上の課題を解決するために、第一発明は、ハンガー部は伸縮し、且つ、取り外し可能はフックを備えたハンガーであることを特徴とする。第二発明は、左右の端には衣類を掛けやすくするために、球状のものが取り付けてあることを特徴とするハンガーである。又、第三発明は、伸ばした状態と、伸ばさない状態で、フックを取り付けた際のバランスを取るために、フックを任意の位置に取り付けることを特徴とするハンガーである。
【発明の効果】
【０００５】  第一発明、または第二発明によれば、ハンガーに衣類を掛ける際に、型崩れしにくく、第三発明により、ハンガーを伸ばした状態や、伸ばさない状態でもフックを取り付けた際の左右のバランスが保てる。
【発明を実施するための最良の形態】
【０００６】  この発明の一実施形態を、図１に示す。
ハンガーの本体は、伸縮するハンガー部１と取り外し可能なフック２から構成されている。【０００７】「実施形態の効果」
この実施形態によれば、伸縮するハンガー部１に衣類を袖から袖を通す形で掛けるので、衣類が型崩れしにくい。衣類をハンガーから取り外す際は、衣類を掛けた状態でハンガー部１からフック２を取り外し、ハンガー部１を衣類から抜き取る形になるので、衣類を傷めず、簡単に取り外せる。衣類をかけてない状態では、フック２とハンガー部１を取り外し、整理、収納すれば、場所を取らず、効率的に収納できる。【０００８】「他の実施形態」
図１の実施形態では、ハンガー部は伸縮するとあるが、固定式でもよい又、形状は複数のものでも板状のものでもよい。伸縮する板状のものに、Ｓ字フック等が付けられるように、ホールを空けたもの［図４］でも同様の効果が考えられる。又、［図５］のように、フック取り付け口を設けたものでもよい。
【図面の簡単な説明】
【０００９】
【図１】この発明の一実施形態を示す斜視図である。
【図２】従来技術を示す斜視図である。
【符号の説明】
【００１０】１、  伸縮するハンガー部    ２、取り外し可能なフック
【図１】
2008012263.tif 000003
【図２】
2008012263.tif 000004
【図３】
2008012263.tif 000005
【図４】
2008012263.tif 000006
【図５】
2008012263.tif 000007
【手続補正書】
【提出日】平成18年9月20日(2006.9.20)
【手続補正１】
【補正対象書類名】明細書
【補正対象項目名】０００９
【補正方法】変更
【補正の内容】
【０００９】
【図１】  発明の一実施形態を示す斜視図である。
【図２】  従来技術を示す斜視図である。
【図３】  実際に使用した場合の斜視図である
【図４】  フック取り付け口を複数設けた場合の斜視図である。
【図５】  フックとフレームを接続させた場合の斜視図である。
(57)【要約】【課題】水滴を一箇所に集めることにより、水滴の飛散落下を、軽減させた傘を提供する。【解決手段】雨の当たる面の下部に、水滴止め（２）を全周に設け、水滴止めの一箇所に水滴の落ちる隙間（６）を設けたことを特徴とする。【選択図】図１
2008012262.tif 000002
【特許請求の範囲】
【請求項１】
傘の雨の当たる面の下部全周に、水滴止め（２）を設け一箇所、隙間（６）を作り集まった水滴を一箇所から落下させる、水滴の飛散落下を軽減させた傘。
【請求項２】
生地（１）を折りたたみ、接着、融着、あるいは縫い合わせ、水滴止め（２）を作り、外側へ倒れるのを防止する為、リブ（３）を形成させた傘。（図２）
【請求項３】
リブ（３）が形成されない部分に、倒れ防止帯（４）を、接着、融着あるいは、縫い合わせた傘。（図３）
【発明の詳細な説明】
【技術分野】
【０００１】この発明は、傘の雨の当たる面の下部に水滴止めを設け、水滴を一箇所に集め、飛散落下を防ぐ傘に関するものである。
【背景技術】
【０００２】従来、傘の雨の当たる面に、水滴を集める機能はなかった。
【発明の開示】
【発明が解決しようとする課題】
【０００３】これは次のような欠点があった。
骨の先端や、窪みから水滴が落ちる為、至る所から飛散され、ズボン、スカート、靴が濡れていた。
【課題を解決するための手段】
【０００４】雨の当たる面の下部全周に水滴止め（２）を設け、水滴止めの倒れ防止に骨のある部分には、リブ（３）を形成させ、残りの部分の倒れ防止に帯（４）を設ける。
水滴止めの一箇所に隙間（６）を作り、そこから水滴を落下させた、本発明は以上の構成よりなる、水滴が一箇所から落ちる傘である。
【発明の効果】
【０００５】水滴止めと倒れ防止を設ける事で、水滴が隙間一箇所で、落ちる為、飛散量が減り、ズボン、スカート、靴、の濡れが軽減される。
【発明の実施をするための最良の形態】
【０００６】以下、本発明の実施をするための最良の形態について説明する。
雨の当たる面の下部全周に水滴止め（２）を設け一箇所に隙間（６）をつくる。図（１）
水滴止めの構造としては、（図２）に示すように生地（１）を、折りたたみ接着，融着、あるいは縫い合わせ，折りたたむ事により、余分な生地が発生するので、この生地を骨（７）のある部分で密着させて、リブ（３）を形成させる。
他の部分では、（図３）に示すように、帯（４）を設け、水滴止めが外側（矢印Ａ）に倒れるのを防止する。
本発明は以上のような構造で、傘をたたむ時は、リブ（３）と倒れ防止帯（４）で、自然と水滴止め（２）が、内側に倒れ込み、簡単に折りたたむ事ができる。
【図面の簡単な説明】
【０００７】
【図１】  本発明の斜視図を示す
【図２】  請求項２の水滴止め部（２）とリブ形成部（３）の、断面詳細図を示す。
【図３】  請求項３の水滴止め部（２）と倒れ防止帯部（４）の、断面詳細図を示す。
【符号の説明】
【０００８】    １    生地
２    水滴止め
３    リブ形成部
４    倒れ防止帯
５    チップ（露先）
６    水滴の落ちる隙間
７    骨
矢印Ａ    外側
【図１】
2008012262.tif 000003
【図２】
2008012262.tif 000004
【図３】
2008012262.tif 000005
(57)【要約】【課題】  郵便ポストに郵便物を投函した時投函した側に投函証を発行することにより郵便ポストの信頼性を向上させる。【解決手段】  投入口（６）の上下に前後して２対の光検知器を配置し、その間を郵便物が通過すると受光部（１）と受光部（２）により信号が作成され、その信号を充電池入り制御部（９）へ送る。  充電池入り制御部（９）は光発電機（１０）により充電され、日時他情報の作成、信号の解読、プリンターの制御を行う。  プリンター（７）は充電池入り制御部（９）の指令により情報を記載した記録紙を吐出し口（８）より外部に打ち出す。【選択図】図１
2008012267.tif 000002
【特許請求の範囲】
【請求項１】
郵便ポストに既存するプリンターを取付け、郵便物を投函すると、投函されたことを証明する情報を記載した投函証を自動的に発行する。
【発明の詳細な説明】
【技術分野】
【０００１】  この発明は、郵便ポストに関する。
【背景技術】
【０００２】  従来、郵便ポストに郵便物を投函しても投函したことの証拠もなく事故があっても全くわからない状態になってしまう。
【発明の開示】
【発明が解決しようとする課題】
【０００３】  郵便ポストに郵便物が投函されると日時他情報を記載した記録紙を投函証とし投函した側に自動発行する。
【課題を解決するための手段】
【０００４】  本体（１）の投入口（６）の奥上方に受光部１（２）受光部２（３）を、奥下方に発光部１（４）発光部２（５）を取付け、発光部１（４）の光を受光部１（２）が受け、発光部２（５）の光を受光部２（３）が受けるように調整する。
充電池入り制御部（９）は、日時他情報を作成、受光部の信号の解読、プリンターの制御を行う。
光発電機（１０）で発電した電力を充電池に充電する。
プリンター（７）は、既存するロール紙用プリンターで充電池入り制御部（９）の指令を受け日時他情報をプリントし吐出し口（８）より外部に打ち出す。
以上のような構成よりなる郵便ポストである。
【発明の効果】
【０００５】  この装置のついた郵便ポストに郵便物を投函したときの情報を投函証として受け取ることで事故等発生したとき投函した側の重要な参考資料となる。
又、この装置のついた郵便ポストを受け取る側にも取り付けると配達する側の重要な参考資料になる。
このことが投函した側、配達した側に信頼され、郵便ポストの信頼性を向上させることになる。
【発明を実施するための最良の形態】
【０００６】  この発明の実施形態を、図１に示す。
投入口（６）に郵便物を投入するとまず、受光部１（２）の信号がＯＦＦ、次に受光部２（３）の信号がＯＦＦ、郵便物の後端に来ると受光部１（２）がＯＮし、次に受光部２（３）がＯＮになり一連の動作を終了し、この信号を充電池入り制御部（９）へ送る。
制御部でこの信号を解読し、両受光部がＯＦＦの状態から受光部１（２）がＯＮし、次に受光部２（３）がＯＮしたときのみプリンター（７）が働くよう制御する。
指令を受けたプリンター（７）は日時他情報をロール紙にプリントし吐出し口（８）より外部に打ち出す。
光発電機（１０）に光を受けると発電し充電池に充電する。
【実施形態の効果】
【０００７】１  郵便物を投入した時完全に投入されたときのみ投函証は発行される。
２  複数枚同時に投函のときは１回としてカウント、投函回数がわかる。
３  投函されたときの日時がわかる。
４  商用電源の設備が不要である。
【他の実施形態】
【０００８】  従来郵便ポストに入っているだけを集め分類し個々に設置された郵便ポストに配達する方法が多い。
【図面の簡単な説明】
【０００９】
【図１】本発明の実施形態を示す斜視図である。
【符号の説明】
【００１０】１  本体
２  受光部１
３  受光部２
４  発光部１
５  発光部２
６  投入口
７  プリンター
８  吐出し口
９  充電池入り制御部
１０  光発電機
【図１】
2008012267.tif 000003
(57)【要約】【課題】掛け具に掛けやすく、ずれるのを防ぐ吊り下げ専用のタオルを提供する。【解決手段】布体の左右を円弧状にして、その両端を内方に向かってＶ字状にして、細い掛部を設けたことを特長とする吊り下げ専用タオル。【選択図】図１
2008012235.tif 000002
【特許請求の範囲】
【請求項１】
布体の左右を円弧状にして、その両端を内方に向かってＶ字状にして、細い掛部を設けたことを特長とする吊り下げ専用タオル。
【発明の詳細な説明】
【技術分野】
【０００１】  本発明は、掛け具に掛けやすく、ずれるのを防ぐ吊り下げ専用のタオルに関するものである。
【技術背景】
【０００２】  従来、キッチンやトイレで小さい掛け具にタオルを掛ける際、四角いタオルを２つもしくは３つに折りたたんで掛けていた。また、掛け具に掛けやすいように、タオルの中央部を収縮させたタオルがあった（特許文献１参照）。
【特許文献１】  特開２００４−３２１７１８号公報
【発明の開示】
【発明が解決しようとしている課題】
【０００３】  そのため、次のような問題点があった。
（イ）タオルを２つもしくは３つに折ると厚みが出て、掛け具に掛けづらかった。
（ロ）手を拭くと、掛けていたタオルがずれることがあった。
本発明は、これらの問題点を解決するためになされたものである。
【課題を解決するための手段】
【０００４】  布体の左右を円弧状にして、その両端を内方に向かってＶ字状にして、細い掛部を設ける。以上を特徴とする掛け具に掛けやすく、ずれるのを防ぐ吊り下げ専用のタオルである。。
【発明の効果】
【０００５】  本発明は、布体の左右を円弧状にして、その両端を内方に向かってＶ字状にして細い掛部を設けているため、小さい掛け具でもタオルを折りたたんだ状態で掛けるわずらわしさがない。さらに、タオルの両端を円弧状にし、使用する際は３つに折り曲げることで、手を拭いてもタオルがずれる心配がなく、尚且つ手を拭くのに必要なボリュームも充分確保が可能である。
また、タオルの両端を円弧状にしているため、両端を折りたたんでも、後ろ側のタオルが前から見えることもなく、美しく形成した状態を保つことが可能である。
【発明を実施するための最良の形態】
【０００６】  以下、本発明の実施の形態について説明する。
（イ）布体（１）の左右を円弧状にして、その両端（２）（２Ａ）（２Ｂ）（２Ｃ）を内方に向かってＶ字状にして、細い掛部（３）を設ける。
本発明は以上の構成からなる吊り下げ専用タオル（４）である。
次に、本発明の使い方について説明する。
左右に広げた布体（１）の中央の細い掛部（３）を通常市販されている掛け具（５）の孔（６）に通し、円弧を合わせて掛ける。その後、タオルの両端（７）を折り曲げ、図３に示すように円錐状に形成する。この時、布体（１）の左右が円弧状であるため、両端（７）を折り曲げても後側のタオルが見えることもなく、美しい円錐状を形成することができる。さらに、タオルの両端（７）を折り曲げることによって、手を拭いてもずれる心配がない上に、手を拭くのに充分なボリュームも確保できる。
また図４に示すように、布体（１）の左右を円弧状にする代わりに、ウエーブ状にしてもよい。
また図５に示すように、布体（１）の左右を円弧状にする代わりに、三角形にしてもよい。
また図６に示すように、布体（１）の片側を円弧状にし、片側をウエーブ状というように左右の形状を変えてもよい。
尚、本発明の第二実施例について説明する。
布体（１）の左右の円弧状の両端（２）（２Ａ）（２Ｂ）（２Ｃ）を水平に延設して、その両端を内方に向かってＶ字状にして細い掛部（３）を設ける。
尚、図７の効果は図１と実質的効果は変わらない。
【図面の簡単な説明】
【０００７】
【図１】  本発明の平面図
【図２】  本発明の斜視図
【図３】  本発明の使用状態を示す斜視図
【図４】  本発明の平面図
【図５】  本発明の平面図
【図６】  本発明の平面図
【図７】  本発明の平面図
【符号の説明】
【０００８】  １    布体
３    掛部
【図１】
2008012235.tif 000003
【図２】
2008012235.tif 000004
【図３】
2008012235.tif 000005
【図４】
2008012235.tif 000006
【図５】
2008012235.tif 000007
【図６】
2008012235.tif 000008
【図７】
2008012235.tif 000009
(57)【要約】【課題】  カーテンの中ほどに両面テープを設け、カーテンの下部と上部が分離するシャワーカーテン提供する。【解決手段】  カーテンの中ほどに両面テープを設け、カーテンの下部と上部が分離することにより、カーテン下部が簡単に着脱することを特徴としたシャワーカーテン。【選択図】図１
2008012240.tif 000002
【特許請求の範囲】
【請求項１】
カーテンの中ほどに両面テープを設け、カーテンの下部と上部が分離することを特徴としたシャワーカーテン。
【発明の詳細な説明】
【技術分野】
【０００１】  本発明は、風呂の浴槽やユニットバスの浴槽の仕切り等に用いられるシャワーカーテンに関するものである。
【背景技術】
【０００２】  従来、シャワーカーテンはビニル素材で作られ、使用するときはシャワーカーテンの下部を浴槽内側に落として使用している。
【発明の開示】
【発明が解決しようとする課題】
【０００３】  そのため、次のような問題点があった。浴槽の湯にシャワーカーテンの下部が浸り、防カビ・撥水などの処理がされてるとはいえ、使用期間が長くなるにつれカビや悪臭を発生しやすかった。
本発明は、これらの問題点を解決するためになされたものである。
【課題を解決するための手段】
【０００４】    カーテンの中ほどに両面テープを設け、カーテンの下部と上部が分離することを特徴とするシャワーカーテンである。
【発明の効果】
【０００５】  したがって、浴槽の湯に浸るシャワーカーテンの下部が取り外せるようになっているので、湯に浸る部分が毎回洗濯できる。そのため、従来のようなカビや悪臭の発生をしにくい。
【発明を実施するための最良の形態】
【０００６】    以下、本発明の実態の形態について説明する。
洗い場側からからみて、シャワーカーテンの下から３０ｃｍくらいの位置に、シャワーカーテンと同じ幅の両面テープ（２）をカーテン上部（１）には凸両面テープ（２ａ）を、カーテン下部（３）には凹両面テープ（２ｂ）を装着する。
本発明は以上のような構成で、これを使用するときは入浴後、カーテン下部（３）を両面テープ（２）の位置から外し洗濯する。これにより毎使用後洗濯でき、カビや悪臭を発生を防げる。本発明のカーテン下部（３）の素材として、次のような方法も当然に考えられる。湯に溶け難い紙等の素材で、毎回使い捨てできるような方法もある。
【図面の簡単な説明】
【０００７】
【図１】  本発明の正面図
【図２】  本発明の拡大図
【符号の説明】
【０００８】  １    カーテン上部
２    両面テープ
２ａ  凸両面テープ
２ｂ  凹両面テープ
３    カーテン下部
【図１】
2008012240.tif 000003
【図２】
2008012240.tif 000004
(57)【要約】【課題】本発明は、吊り具の先端に磁石を取り付け、強磁性体を有する獲物を吊り上げる吊り遊戯具に関するものである。【解決手段】複数の吊り具に弾性ヒモとその先端に同極性の磁石を設け、獲物に強磁性体を設けて、さらに獲物全体をフイルム加工したことを特徴とする吊り遊戯具。【選択図】図１
2008012236.tif 000002
【特許請求の範囲】
【請求項１】
複数の吊り具に弾性ヒモとその先端に同極性の磁石を設け、獲物に強磁性体を設けて、さらに獲物全体をフイルム加工したことを特徴とする吊り遊戯具。
【発明の詳細な説明】
【技術分野】
【０００１】本発明は、吊り具の先端に磁石を取り付け、強磁性体を有する獲物を吊り上げる吊り遊戯具に関するものである。
【背景技術】
【０００２】従来、吊り具のヒモにはテグスやタコ糸等が使用されその先端に磁石を設けていた。獲物は厚紙や布物が使用され、獲物の口にクリップを設けて吊り具の先端の磁石を獲物のクリップに近づけ吸着させて吊り上げていた。（図６）
【発明の開示】
【発明が解決しようとする課題】
【０００３】そのために、次のような問題点があった。
（イ）  吊り具同士の磁石が吸着力によりくっ付いて、ヒモが絡まり取り外しが困難であった。
（ロ）  吊り具にヒモやテグスを用いると複数で吊りを楽しんでいるとき、ヒモやテグスが絡まりそれを解きほごすのに時間がかかっていた。
（ハ）  獲物が紙や布のため水に濡れたり汚れたり傷付き易かった。
本発明は、これらの問題点を解決するためになされたものである。
【課題を解決するための手段】
【０００４】複数の吊り具に、弾性ヒモとその先端に同極性の磁石を設け、獲物に強磁性体を設けて、さらに獲物全体をフイルム加工したことを特徴とする吊り遊戯具である。
【発明の効果】
【０００５】（イ）  吊り具の磁石は他の吊り具の磁石と同極性に設けているので、お互いが反発しあいくっ付き難くなっているので、吊り具同士が絡まることがない。
（ロ）  仮に絡まった場合、ヒモを弾性体にしているので、ヒモを引張れば弾性体であるためヒモが伸縮するので簡単に外れる。
（ハ）  獲物の表面は、フイルムで覆っているので汚れキズも付きづらく水の中でも使用できる。
【発明を実施するための最良の形態】
【０００６】以下、本発明の実地の形態について説明する。
（イ）  吊り具（１）において、柄（３）と棒（４）は従来使用されているものであり、棒（４）の先端にリボンテープ等を用いて飾り（５）を設ける。
（ロ）  棒（４）の先端には、さらにゴム等の弾性体ヒモ（６）を設け、その先端には磁石（７）を設ける。この磁石の形状は、角型あるいは丸型で特に形状を特定するものではない。但し複数の吊り具（１）において磁石（７）の極性（磁化方向）が同一でなければならない。例えば、上面がＮ極、下面がＳ極であれば他の吊り具（１）の磁石（７）の設け方が、すべて上記のように設置することを意味する。（図３）
（ハ）  獲物（２）は、魚など動物や子供の好きなキャラクター物等任意なものを表面イラスト（８）として、また同サイズでコピー反転し裏面イラスト（９）を作成する。さらにその獲物の名称（１２）やゲームを競うための点数（１３）を記入する。
（ニ）  上記の印刷した表面イラスト（８）と裏面イラスト（９）の間に、鉄片などの強磁性体（１０）を鋏み込みフイルム又はコーテング剤で全体を覆って獲物（２）を複数作成する。通常においてはラミネータ等でパウチすることができる。
本発明は以上の構成からなるが、以下使用例について説明する。（図１）
（イ）  複数の獲物（２）を広場の机や床等に名称（１２）や点数（１３）の表示されている面を下にしてばら撒き、吊り人複数が吊り具（１）をもって弾性体のヒモ（６）を下に垂らして、磁石（７）を利用して獲物（２）を吊りあげる。
（ロ）  獲物（２）には、点数（１３）が表示されているので、各吊り人が計算し獲得した獲物（２）の合計点数によって順位が決まる。これは単に吊り上げた獲物の数で順位を決めるだけでなく、獲物（２）に名称（１２）が表示されているので吊りながらこの魚が「アジ」「マグロ」「タコ」とか遊びながら覚えることができる。
（ハ）  本発明については図面上魚のイラストを表示したが生物・乗り物やキャラクター等を印刷することにより様々な形態の獲物を提供できる。
（ニ）  本発明について棒（４）の先端に飾り（５）を設けることは子供が吊りに熱中し、他の子供に当て怪我をさせないように安全のため設けたものである。
【図面の簡単な説明】
【０００７】
【図１】本発明の使用例を示す説明図
【図２】本発明の吊り具の説明図
【図３】本発明の磁石部分拡大図
【図４】本発明の獲物の表面図
【図５】本発明の獲物の拡大断面図
【図６】本発明の獲物の裏面図
【図７】従来の吊り具の説明図
【符号の説明】
【０００８】  １  吊り具
２  獲物
３  柄
４  棒
５  飾り
６  ヒモ
７  磁石
８  強磁性体
９  表面イラスト
１０  裏面イラスト
１１  フイルム
１２  名称
１３  点数
１４  クリップ
【図１】
2008012236.tif 000003
【図２】
2008012236.tif 000004
【図３】
2008012236.tif 000005
【図４】
2008012236.tif 000006
【図５】
2008012236.tif 000007
【図６】
2008012236.tif 000008
【図７】
2008012236.tif 000009
(57)【要約】【課題】    フライパン使用時に手首にかかる負担を梃子の原理により軽減する、フライパン用腕支え具を提供する。【解決手段】    くの字に屈曲した支持棒（１）の、その屈曲部の中心辺りにリング（３）を設け、末端に腕あて（２）を設け、前記リング（３）をフライパンなどの柄に通し、フライパンなどの柄と本発明の腕支え具のリング部を共に握り、腕あて（２）を前腕部に当てることにより、握り部を支点とした梃子の原理により、フライパンなどを腕で支えることを特徴とするフライパン用腕支え具。【選択図】図１
2008012245.tif 000002
【特許請求の範囲】
【請求項１】
くの字に屈曲した支持棒の、先端と屈曲させた部分との中間位の位置にリングを設け、末端に腕あてを設け、リングをフライパンなどの柄に通し、フライパンなどの柄と腕支え具のリング部を共に握り、腕あてを前腕部に当てることにより、握り部を支点とした梃子の原理によりフライパンなどを腕で支えることを特徴とするフライパン用腕支え具。
【発明の詳細な説明】
【技術分野】
【０００１】  本発明は、フライパン使用時に手首にかかる負担を軽減する、フライパン用腕支え具に関するものである。
【背景技術】
【０００２】  従来、フライパンや片手鍋は片手で操作することから、力の弱い女性や高齢者が使用する場合には手首に大きな負担がかかるため、柄の付け根付近を持ったり両手で持って使用していた。
なお、フライパンの上部に腕当て用治具を引っ掛け、取っ手を握った手と腕宛てに当てた腕の力を利用しフライパンを操作する発明（特許文献１）、ガス台の隣に支持器を置き、フライパンの取っ手を支持させる発明（特許文献２）が知られている。
【特許文献１】特開２０００−０１４５６９号
【特許文献２】特開２０００−０４１８７０号
【発明の開示】
【発明が解決しようとする課題】
【０００３】  そのために、次のような問題点があった。
（イ）片手で持つ場合には、手首に大きな負担がかかった。
（ロ）柄の付け根付近を持つ場合には、火傷する可能性があった。
（ハ）柄を両手で持つ場合には、盛り付けなどが困難であった。
本発明は以上の問題点を解決しようとするものである。
【課題を解決するための手段】
【０００４】  くの字に屈曲した支持棒の屈曲部の中心辺りにリングを設け、末端に腕あてを設ける。そして、前記リングをフライパンなどの柄に通し腕支え具を固定する。フライパンなどの柄と本発明の腕支え具のリング部を共に握り、腕あてを前腕部に当てることにより、握り部を支点とした梃子の原理により、フライパンなどを腕で支える。以上を特徴とするフライパン用腕支え具である。
【発明の効果】
【０００５】  本発明は、フライパンなどを手と腕で支えるため、操作時の手首にかかる負担を軽減することができ、力の弱い女性や高齢者においても操作を容易にする。
また、腕支え具の固定はフライパンなどの柄にリングを通すだけであり、不要時は簡単に取り外すことが可能である。
【発明を実施するための最良の形態】
【０００６】  以下、本発明の実施の形態を説明する。
（イ）断面がＵ字型に湾曲した棒板の、先端から約１０ｃｍのところでくの字に屈曲した支持棒（１）の末端に、Ｕ字型に湾曲した腕あて（２）を設ける。
（ロ）先端と屈曲させた部分との中間位の位置にリング（３）を設ける。
本発明は、以上の構成によりなっている。
本発明を使用するときは、上記腕支え具のリング（３）をフライパンなどの柄（４）に通す。フライパンなどの柄と本発明の腕支え具のリング部を共に握り、腕あて（２）を前腕部に当てることにより、握り部を支点とした梃子の原理により、フライパンなどを腕で支える。
本発明の利用は、フライパンのみに限定されず、片手鍋等へも適用可能である。
【図面の簡単な説明】
【０００７】
【図１】本発明の斜視図
【図２】本発明の使用状態を表す部分斜視図
【符号の説明】
【０００８】      １  支持棒
２  腕あて
３  リング
４  フライパンの柄
【図１】
2008012245.tif 000003
【図２】
2008012245.tif 000004
(57)【要約】【課題】  従来のマスク本体の隙間から、花粉やほこりの侵入を防ぐために、立体のギャザーとワイヤーを設けたギャザー付きマスクを提供する。【解決手段】  マスク本体（１）の裏面の側部の上部と左右に立体のギャザー（２）を設け、上部の上側にはワイヤー（３）を設けたことを特徴とする。【選択図】図１
2008012248.tif 000002
【特許請求の範囲】
【請求項１】
マスク本体（１）の裏面の側部の上部と左右に立体のギャザー（２）を設け、上部の上側にはワイヤー（３）を設けたギャザー付きマスク。
【発明の詳細な説明】
【発明の詳細な説明】
【技術分野】
【０００１】  この発明は、マスクの上部と左右に立体のギャザーを設け、上部の上側にはワイヤーを設けたギャザー付きマスクに関するものである。
【背景技術】
【０００２】  従来のマスクは、平面なマスクだった。
【発明が解決しようとする課題】
【０００３】  これは次のような欠点があった。
従来のマスクは平面のため、顔の凹凸に対応できなく、また、強風の時は上部と左右から花粉やほこりが入っていた。
本発明は、以上のような欠点をなくすためになされたものである。
【課題を解決するための手段】
【０００４】  マスク本体（１）の裏面の側部の上部と左右に立体のギャザー（２）を設け、上部の上側にはワイヤー（３）を設ける。
本発明は、以上のような構成よりなるギャザー付きマスクである。
【発明を実施するための最良の形態】
【０００５】  以下、本発明の実施の形態について説明する。
マスク本体（１）の裏面の側部の上部と左右に立体のギャザー（２）を設け、上部の上側にはワイヤー（３）を設ける。
本発明は以上のような構造で、これを使用するときは、マスク本体（１）の裏面の側部の上部が鼻にあたるように装着し、上部と左右の立体のギャザー（２）を立たせて、上部の上側のワイヤー（３）を鼻と頬に合わせて密着するように曲げる。
その結果、上部と左右から花粉やほこりの侵入を防げる。
【発明の効果】
【０００６】  立体のギャザーが付いているので、上部と左右の隙間から花粉やほこりの侵入を防げる。
また、鼻が高い方でも上部の上側にワイヤーが設けてあるので、花粉やほこりの侵入も二重に防げる。
立体のギャザーが付いているので、強風でも顔とマスクの間に隙間ができないので、花粉やほこりの侵入が防げて大変、効果的である。
【図面の簡単な説明】
【図１】  本発明の斜視図である。
【図２】  従来のマスクの斜視図である。
【符号の説明】
１  マスク本体
２  上部と左右の立体のキャザー
３  ワイヤー
【図１】
2008012248.tif 000003
【図２】
2008012248.tif 000004
(57)【要約】【課題】  使い捨てカイロのホルダーには、ベルト付のカバータイプで腰等に固定する方法が一般的で、カイロの取り出しや装着には手間がかかる。また、一時的に不必要な時もある。【解決手段】  そこで、メッシュ状の袋に両脇に輪を作るように布テープを縫い付ける。後は、ベルトに通しカイロを袋に入れパンツの内側へ送り込めば腰部に固定できる。また、不必要な時は、パンツの外側に出せる。【選択図】図１
2008012250.tif 000002
【特許請求の範囲】
【請求項１】
ベルト及びパンツから吊り下げることを特徴とする腰用カイロホルダー。
【発明の詳細な説明】
【発明の詳細な説明】
【技術分野】
【０００１】  この発明は、腰用カイロホルダーに関する物である。
【背景技術】
【０００２】  従来、腰に当てる使い捨てカイロのホルダーには、ベルト付のカバータイプが主流でカイロの取り出しや装着には手間がかかりすぎていた。
【発明が解決しようとする課題】
【０００３】  この発明は、使い捨てカイロの貼らないタイプを腰部に固定して使用するにあたり、短時間でカイロの取り出しや装着をすることが目的である。
【課題を解決するための手段】
【０００４】  そこで、ベルト及びパンツから吊り下げ、パンツの内側に送り込む方法を考えた。
【発明を実施するための最良の形態】
【０００５】  腰用カイロホルダーは、メッシュタイプの袋状の物（図１−１）に布テープ（図１−２）を両脇に輪を作るように縫い付ける。尚、この時の輪は、ベルトから吊り下げる為のものである（図２）。他に吊り下げる方法としては、サスペンダーに使われているクリップ等でパンツから吊り下げることが考えられる（図３）。この時、応用した使い方として、腹部用としても利用できる。
【発明の効果】
【０００６】  以上の説明をしたとおり、本発明では次のような効果がある。
（イ）服を脱がずにカイロの取り出しや装着がすばやくできるので、使いまわしが簡単にできる。
（ロ）使用箇所が主に腰部の人には、価格の安い衣類に貼らないタイプが使用できる。
（ハ）電車内等で体が暑く感じる時には、簡単にパンツの外側に出すことができる。
本発明は、これらの効果をもたらすものである。
【図面の簡単な説明】
【図１】  本発明の斜視図である。
【図２】  本発明の実施例である。
【図３】  本発明の実施例である。
【符号の説明】
１  メッシュ生地
２  布テープ
３  腰用カイロホルダー
４  クリップ
【図１】
2008012250.tif 000003
【図２】
2008012250.tif 000004
【図３】
2008012250.tif 000005
(57)【要約】【課題】今までの磁石を使用した留め金具は引力に耐える強度が少なく、接続は容易だがはずす事は両手でしなければならなかった。【解決手段】留め金具に段差をもうけストッパーの役目をさせ、留め金具どうしを磁石によって接続させる。【選択図】図３
2008012247.tif 000002
【特許請求の範囲】
【請求項１】
磁石２以外の素材の留め金具１の片面に段差３をつけ、段差３がある留め金具１の上面５と下面６に磁石２を埋めこみ下面と重ね合わせない面７の間にマル管４を取り付けたものを２個重ね合わせる。（図３）
【請求項２】
磁石２の位置は段差３の真ん中から垂直線上に磁石２の中心があり、留め金具を重ね合わした時、同位置にする。（図３）
【請求項３】
磁石２の面は留め金具１の面より上にはみ出さない様に埋めこむ。（図２）
【請求項４】
マル管４の位置は段差３の真ん中から垂直線上の下面と重ね合わさない面７の間にする。
【発明の詳細な説明】
【発明の詳細な説明】
【技術分野】
【０００１】  本発明は、ブレスレット、ネックレスなどの留め金具として使用する。
磁石を使用する事で容易に接続でき、また金具をずらす事で容易に外す事ができる。
【背景技術】
【０００２】  従来の磁石を使用した留め金具は磁石のＳ極とＮ極の接続面をブレスレットなどの引力に対して垂直に取り付けてあり、磁石の磁力以上の引力がかかるとはずれてしまう。
又マル管があるため、ずらして外す事ができない。（図６）
【発明を実施するための最良の形態】
【０００３】本発明はマル管にブレスレットなどの両端に１個ずつ取り付け重ね合わして使用する。
（図５）
図面について説明すれば、留め金具１の本体の片面に段差３をつけ、段差のある留め金具１の上面５と下面６に磁石２を埋め込み下面６と重ね合わせない面７間にマル管４を取り付ける。（図３）
【発明の効果】
【０００４】本発明は磁石により容易に接続でき、Ａ，Ｂ方向の引力を段差３がストッパーの役目をするため磁力より強い引力が働いても容易に外れない。（図４）
又、Ｘ，Ｙ方向の引力には段差３がないために、Ｘ，Ｙ方向にずらすと容易に片手ではずす事ができる。
【図面の簡単な説明】
【図１】  留め金具１の重ねあわす面の上面図である。
【図２】  留め金具１の断面図である。
【図３】  留め金具１の重ね合わせた断面図である。
【図４】  留め金具１の重ね合わせた上面図である。
【図５】  ネックレスに留め金具１をつけた図である。
【図６】  一般的な磁石の留め金具の正面図である。
【符号の説明】
１  留め金具
２  磁石
３  段差
４  マル管
５  留め金具１の重ねあう面の上面
６  留め金具１の重ねあう面の下面
７  留め金具１の重ねあわない面
【図１】
2008012247.tif 000003
【図３】
2008012247.tif 000004
【図４】
2008012247.tif 000005
【図５】
2008012247.tif 000006
【図６】
2008012247.tif 000007
【手続補正書】
【提出日】平成18年9月5日(2006.9.5)
【手続補正１】
【補正対象書類名】図面
【補正対象項目名】図１
【補正方法】変更
【補正の内容】
【図１】
2008012247.tif 000008
【手続補正２】
【補正対象書類名】図面
【補正対象項目名】図２
【補正方法】変更
【補正の内容】
【図２】
2008012247.tif 000009
【手続補正３】
【補正対象書類名】図面
【補正対象項目名】図４
【補正方法】変更
【補正の内容】
【図４】
2008012247.tif 000010
(57)【要約】【課題】高価なカーエアコン、扇風機、換気扇、空調機等を新に購入することなく、既存の電動空調機器等から絶えず噴出する風力を受けて、無動力で回転する風車体を応用して、新にマイナスイオン還元効果が得られる、シンプルで、しかも安価な、マイナスイオン放出機器の新規開発行うことが本発明の課題である。【解決手段】既存カーエアコン、扇風機、換気扇、空調機等から噴出する、風力を応用して、新に無動力で回転する風車体から、大量のマイナスイオンを放出拡散させる、新しい手段を考案したものである、既存電動空調機エアー噴出口に付設する、風車体の構造は、至ってシンプルで、しかもマイナスイオン還元効果も安価な経費で、提供できることが解決手段の特徴となっている。【選択図】図１
2008012255.tif 000002
【特許請求の範囲】
【請求項１】
風車体羽根車の回転羽根部分に、マイナスイオン発生塗料を一部又は全面に塗布してなる構造の大小風車体を、カーエアコン、扇風機、換気扇、家庭用、業務用空調機、その他送風ダクト等のエアー噴出部に付設して、風車羽根が噴出風力を受けて自動回転する方法で、マイナスイオン塗料塗布羽根部より、マイナスイオンを強制的に放出させると同時に、噴射前方付近の空気を攪拌行い、マイナスイオンの還元効果を均等に拡散させることを特徴とした、マイナスイオン放出風車体、
【発明の詳細な説明】
【技術分野】
【０００１】  カーエアコン、扇風機、換気扇、空調機、その他送風機等から、新にマイナスイオンを放出させる目的に於いて、各機器のエアー噴出口、又は噴出口付近にマイナスイオン放出風車体を付設行う方法で、無動力で簡単に、しかも安価な経費でマイナスイオン還元効果が得られる、新しいマイナスイオン放出技術開発を行ったものである。
【背景技術】
【０００２】
【特許文献】電動回転羽根を使用したマイナスイオン放出扇風機、空調機、カーエアコン等は、すでに開発されて多数の特許出願、実用新案等が提出されている。
【非特許文献】マイナスイオン発生塗料を採用した電動扇風機、エアコン、その他送風機器等は、すでに多く市販されているが、無動力回転風車体からマイナスイオンが放出する機種等は、これまでの調査の結果、全く存在していなかった。
【発明の開示】
【発明が解決しようとする課題】
【０００３】  マイナスイオン人体還元効果が得られるマイナスイオン発生カーエアコン、扇風機、エアコン等は、すでに開発されて市販されているが、実に高価なものばかりである。本発明が課題とすることは既存の、カーエアコン、扇風機、換気扇、空調機等に別途マイナスイオン発生機器を付設行う方法で、簡単に、しかも安価にマイナスイオン還元効果が得られる、全く新しい機器の開発行うことが本発明の課題である。
【課題を解決するための手段】
【０００４】  カーエアコン、扇風機、空調機、等からは絶えず一定の風力が発生するものである、その風力を利用すれば、別途付設した風車体は無動力で回転を起すことが出来る、新しい発想でこの風車羽根にマイナスイオン発生塗料を塗布したものを、既存扇風機、その他空調機等のエアー噴出口に付設すれば、簡単に無動力でマイナスイオン放出が得られると同時にマイナスイオン拡散もできる、新たな手段を考案したものである。【０００５】  マイナスイオン放出風車体の形状については、限定するものではなく、騒音防止の為には、羽根を大きくして回転数を下げる必要があり、又、カーエアコン付設用には、子ども達の安全を考慮して、羽根を小さくして回転数を高くすることが望ましい。更にいずれの風車体にも、キャラクターその他、デザイン加工することが可能である。【０００６】  風車体の回転羽根に塗布するマイナスイオン放出塗料については、トルマリン鉱石パウダー、その他マイナスイオン放出鉱石パウダー等、色々市販されているが、比較的小さな面積に塗布する場合は、高価であるが、マイナスイオン平均５０００個／ｃｃから８０００個／ｃｃ放出する塗料を使用することが望ましい。【０００７】  マイナスイオン風車体のマイナスイオン放出量測定については、マイナスイオン測定器が使用される訳であるが、回転羽根停止の状態で測定数は決定される。測定の結果、羽根表面積に比例してマイナスイオン発生率の高くなることが確認できた。【０００８】  カーエアコン噴出口に、マイナスイオン放出風車体を付設行った場合、車内機密性が高いことからマイナスイオン濃度が高まり、人体還元効果の大きくなることが確認できた。マイナスイオンはアルカリ性で、ドライバー血液中の活性酸素プラスイオンを瞬時中和して、中性血液に代えると同時に血圧降下のあることが報告されている。
【発明を実施するための最良の形態】
【０００９】  マイナスイオン放出風車体を使用する場合、電動空調機器のエアー噴出圧を利用することが第一の条件である。扇風機であれば前方風圧を利用し、エアコンであればエアー噴出口風圧を利用する訳であるが、いずれの場合も設置が簡単で、長時間運転にも故障が無く、子供が回転羽根に直接触れても全く危険性の無い風車体である
【実施例】
【００１０】  小型マイナスイオン放出風車体を、カーエアコン噴出口に付設行った結果、エアコンスイッチＯＮと同時に風車は回転してマイナスイオンが平均７０００個／ｃｃ放出した、エアコンスイッチＯＦと，同時に風車は完全停止するが、補給材、手入れ等の必要性は無く、マイナスイオン放出風車体は数年間、問題なく使用することができるものである。【００１１】  中型マイナスイオン放出風車体を、家庭用扇風機に付設行った結果、長時間マイナスイオンの放出することがイオン測定器によって確認された。更に扇風機が停止した場合でも、回転羽根から連続マイナスイオンの放出することが確認できたものである【００１２】  大型マイナスイオン放出風車体を家庭用エアコン噴射口に付設行った結果、風車回転羽根の騒音は、比較的少なく、更に長時間運転によって、室内マイナスイオン量の増加していく状態が、イオン測定器によって確認できたものである。室内バックグランドは最高、マイナスイオン７５０個／ｃｃに達して、室内空気浄化と脱臭効果が同時に得られたものである。
【産業上の利用可能性】
【００１３】（１）小型マイナスイオン風車体をカーエアコンに付設すれば、空気浄化効果と同時に車内脱臭効果が得られるものである。
（２）中型マイナスイオン風車体を家庭用又は業務用扇風機に付設すれば、室内空気浄化と同時に、脱臭効果が得られるものである。
（３）大型マイナスイオン風車体を家庭用又は業務用エアコンに付設すれば、空気浄化と脱臭効果が同時に得られる他、スロー回転する、キャラクター付き羽根車を見ることに、癒し効果が得られるものである。
【図面の簡単な説明】
【００１４】
【図１】カーエアコン用小型マイナスイオン放出風車体斜視図
【図２】家庭扇風機用中型マイナスイオン放出風車体斜視図
【図３】エアコン用大型マイナスイオン放出風車体斜視図
【符号の説明】
【００１５】１    マイナスイオン発生羽根
２    風車本体
３    取り付け金具
４    キャラクター
５    家庭用扇風機
６    家庭用エアコン
【図１】
2008012255.tif 000003
【図２】
2008012255.tif 000004
【図３】
2008012255.tif 000005
(57)【要約】      （修正有）【課題】化粧品容器のレフィルの中の化粧品をパフ等で真ん中から使い始めても、最後まで使用した場合でも、化粧品容器のレフィルの側面と底面との接続部分に化粧品が残らず、きれいに最後まで使い切ることができるとともに、化粧品容器のレフィルの中の化粧品が残ったままの状態で交換することのない化粧品容器のレフィルを提供する。【解決手段】化粧品容器のレフィル３の側面２に軽い傾斜をつけ、底面１との接続部分をＲ状に加工する。【選択図】図１
2008012257.tif 000002
【特許請求の範囲】
【請求項１】
化粧品容器のレフィルの側面に軽い傾斜をつけ、底面との接続部分をＲ状にした化粧品容器のレフィル。
【発明の詳細な説明】
【技術分野】
【０００１】  本発明は化粧品容器レフィルの側面に軽い傾斜をもたせ、底面との接続部分をＲ状にし化粧品を最後まできれいに使い切るための化粧品容器のレフィルに関するものである。
【技術背景】
【０００２】  従来化粧品容器のレフィルは、側面と底面の接続部分が９０度に接続されているものがほとんどである。
【発明の開示】
【発明が解決しようとする課題】
【０００３】それには、次のような問題点があった。（イ）化粧品容器のレフィルの中の化粧品をパフ等で普通真ん中から使い始めると最後に接続部分に化粧品が残ってしまいきれいに使い切ることができない。（ロ）（イ）のため化粧品が残ったままの状態での交換を余儀なくされている。本発明は、以上の問題点を解決するためのものである。
【問題を解決するための手段】
【０００４】化粧品容器のレフィルの側面に軽い傾斜をつけ、底面との接続部分をＲ状にする。
【発明の効果】
【０００５】化粧品容器のレフィルの中の化粧品を真ん中から使い始め側面の軽い傾斜と底面がＲ状のため、化粧品が残る事なく使い切ることができる。
【発明を実施するための最良の形態】
【０００６】以下本発明の実態の形態を説明する。（イ）化粧品容器のレフィル（３）の側面（２）に軽い傾斜をつけ底面（１）との接続部分をＲ状に加工する。
【図面の簡単な説明】
【０００７】
【図１】本発明の部分断面図
【符号の説明】
【０００８】（１）  底面（２）  側面（３）  レフィル
【図１】
2008012257.tif 000003